(57)【要約】      （修正有）【課題】フード内部とシロッコファンケーシング内部を洗浄できるようにしたレンジフードを得る。【解決手段】ダブルシロッコファンケーシング左右の吸気口面３を取り除き、そしてフード６の上部中央７をダブルシロッコファンケーシングが収まる形状にフード６の内側に下げて、下げたフード６の左右に清掃口と清掃口カバー９を設け、下げた所にダブルシロッコファンケーシングをおさめる、シロッコファンケーシングフード上部に円垂形オイルグリッドを設け、フード・シロッコファンケーシングと円垂形オイルグリッドはヒンジにより開閉自在に出来ることにより排気ダクト内側の清掃が容易に出来る。【選択図】図３
2012102965.tif 000002
【特許請求の範囲】
【請求項１】
フード上部中央を横半円筒型にフード内側に下げたダブルシロッコファンのレンジフードであって、この下げた横半円筒部分にシロッコファンケーシングの中に二つのシロッコファンを有するダブルシロッコファンケーシングをおさめる形状に形成されることを特徴とするレンジフード。
【請求項２】
ダブルシロッコファンケーシング上に排気捕集フードを設け、ダブルシロッコファンケーシング上に設けた排気捕集フード上部、又は排気ダクト内側にオイルグリッドを設けることを特徴とする請求項１記載のレンジフード。
【請求項３】
フード奥と奥壁面とで一対のヒンジによりフード・ダブルシロッコファンケーシング・ダブルシロッコファンフードとオイルグリッドが一体で開閉自在・脱着自在に出来ることを特徴とする請求項１と２に記載のレンジフード。
【請求項４】
レンジフードにおいて湿気・油分を含む空気等が排気ファンを通過以後の位置にオイルグリッドを設けることを特徴とする請求項１乃至３いずれかに記載のレンジフード。
【請求項５】
ダブルシロッコファンケーシングとレンジフードを一体に成型し二つのシロッコファンのための二つの吸気口面を脱着自在にすることを特徴とする請求項1乃至４いずれかに記載のレンジフード。
【発明の詳細な説明】
【技術分野】
【０００１】
本発明は、調理時に発生する湯気・油分を含む空気等をフード内に捕集し送風機で屋外に排出するレンジフードにおいて、そのフード内部とシロッコファンケーシング内部を洗浄できるようにしたレンジフードに関する。
【背景技術】
【０００２】
従来レンジフードの排気用シロッコファンはモーター一つにシロッコファン一つの形状でフードの上に設置されていた、そしてシロッコファンケーシングとフードが一体でヒンジにより開閉自在・脱着自在となる形態の物は見られなかった。
【先行技術文献】
【特許文献】
【０００３】
【特許文献１】特開平８−１７０８４４号公報
【発明の概要】
【０００４】
シロッコファンモーターシャフト両端にシロッコファンが有することにより吸気口面が左右側面にある、ダブルシロッコファンケーシングの左右側面を取り外した横半円筒形状のダブルシロッコファンケーシングがおさまるようにフード上部中央をフード内側に下げ、この下げた左右側面に清掃口を設け、そして下げた部分にダブルシロッコファンケーシングをおさめたレンジフード。
ダブルシロッコファン上のフード内側、又は排気ダクト内側に排気ダクトの汚れを減少するためのオイルグリッドを設けたレンジフード。
フード上部中央をフード内側に横半円筒形に下げ、この下げた横半円筒形部分にダブルシロッコファンケーシングを設けたフードの奥と、奥壁面に取り付けた一対のヒンジにより、フード・ダブルシロッコファンケーシングとオイルグリッドが一体で開閉自在・脱着自在となるレンジフード。
【発明が解決しようとする課題】
【０００５】
シロッコファンケーシングがフードの上にある場合には清掃時に踏み台が必要となり、踏み台上での清掃作業は不安定で疲労が増す、又シロッコファンケーシング内側を見渡すことが出来ないと掃除がしにくい。
排気ダクトが汚れることにより、湯気・油分を含む空気の排気効率が低下する。
排気ダクト内側の清掃を容易に出来るようにする。
【課題を解決するための手段】
【０００６】
本願発明の請求項１は、フード上部中央を横半円筒型にフード内側に下げたダブルシロッコファンのレンジフードであって、この下げた横半円筒部分にシロッコファンケーシングの中に二つのシロッコファンを有するダブルシロッコファンケーシングをおさめる形状に形成されることを特徴とするレンジフードである。
【０００７】
本願発明の請求項２は、ダブルシロッコファンケーシング上に排気捕集フードを設け、ダブルシロッコファンケーシング上に設けた排気捕集フード上部、又は排気ダクト内側にオイルグリッドを設けることを特徴とするレンジフードである。
【０００８】
本願発明の請求項３は、フード奥と奥壁面とで一対のヒンジによりフード・ダブルシロッコファンケーシング・ダブルシロッコファンフードとオイルグリッドが一体で開閉自在・脱着自在に出来ることを特徴とするレンジフードである。
【０００９】
本願発明の請求項４は、レンジフードにおいて湿気・油分を含む空気等が排気ファンを通過以後の位置にオイルグリッドを設けることを特徴とするレンジフードである。
【００１０】
本願発明の請求項５は、ダブルシロッコファンケーシングとレンジフードを一体に成型し二つのシロッコファンのための二つの吸気口面を脱着自在にすることを特徴とする請求項1乃至４いずれかに記載のレンジフードである。
【００１１】
以下図面に基づき説明する。
シロッコファンモーターシャフトの左右に脱着自在のシロッコファン（１）を持つダブルシロッコファンを内蔵したダブルシロッコファンケーシング（２）を使用してダブルシロッコファンケーシング（２）左右の吸気口（３）周囲の吸気口面（４）を取り除き、そしてダブルシロッコファンケーシング（２）上部に、左右のシロッコファン（１）により排出される排気を捕集するためのダブルシロッコファンケーシングフード（５）を設ける。
【００１２】
フード（６）上部の中央（７）をダブルシロッコファンケーシング下部（８）の横半円筒形と同じ形状でダブルシロッコファンケーシング（２）が密着しておさまる大きさにフード（６）内側に下げる、そして横半円筒形に下げたフード（６）左右の面をダブルシロッコファンケーシング（２）の左右側面を取り外した吸気口（３）周囲の吸気口面（４）と同様な形状で、ダブルシロッコファンケーシング（２）清掃口とする、この清掃口をふさぐ吸気口がある清掃口カバー（９）を設ける。
脱着自在の左右の清掃口カバー（９）の一部を突起状にしてフード（６）にこの左右の清掃口カバー（９）の突起が入る穴を左右清掃口用に左右に設け、左右の清掃口カバー（９）の突起により押されてＯＮ・ＯＦＦすること故防止スイッチ（10）を左右の清掃口カバー（９）用にフード（６）上にそれぞれ設ける。
【００１３】
シロッコファンモーターシャフトの左右に脱着自在のシロッコファン（１）を持つダブルシロッコファンを内蔵したダブルシロッコファンケーシング（２）上部のダブルシロッコファンケーシングフード（５）と、それに続く排気ダクト（11）にダブルシロッコファンにより吸気され、そして排出される湯気・油分を含む空気等が、ダブルシロッコファンを通過以後のダブルシロッコファンケーシングフード（５）や排気ダクト（11）を通過時での汚れを防止するために、排気ダクト（11）下部に円垂形オイルグリッド（12）を止める爪を設け、円垂形オイルグリッド（12）を排気ダクト下から挿入する、又はダブルシロッコファンケーシングフード（５）上に設ける。
円垂形オイルグリッド（12）は円垂形オイルグリッド（12）清掃のために円垂形オイルグリッド（12）頂点より複数に分割出来る物にする。
【００１４】
ダブルシロッコファンケーシングフード（５）の上部にオイルグリッド（12）を設けたダブルシロッコファンケーシング（２）を、フード（６）上部中央（７）をフード内側に横半円筒形に下げた部分に装着したフード（６）奥と奥壁面（13）とで一対のヒンジ（14）を設け、このヒンジ（14）によりフード（６）・ダブルシロッコファンケーシング（２）とダブルシロッコファンケーシングフード（５）上に備えた円垂形オイルグリッド（12）が一対となり開閉自在・脱着自在になる。
【００１５】
尚、ダブルシロッコファンケーシング左右側面の吸気口周囲を脱着自在にしたダブルシロッコファンケーシングを持いて、前記脱着自在部分を清掃口カバーとして、フード上部中央をフード内側に半円筒形に下げた左右側面を清掃口カバーと同様な形状に取り外しても良い。
ダブルシロッコファンケーシング左右側面が脱着自在であるダブルシロッコファンケーシングをフード内側に取り付けても良い。
【発明の効果】
【００１６】
フード（６）上部中央（７）をダブルシロッコファンケーシング下部（８）の横半円筒形に下げた、横半円筒形の左右側面を脱着自在な清掃口カバー（９）にして、そしてダブルシロッコファンケーシング（２）の左右側面の吸気口（３）周囲の吸気面（４）を取り外したダブルシロッコファンケーシング（２）をフード（６）上部中央（７）を横半円筒形に下げた所に設置したことによりダブルシロッコファンケーシング（２）の位置が下がり、整流板（15）に設けたオイルネット用支柱（16）と同じ高さにある清掃口カバー（９）は取り外し易く、清掃口カバー（９）を取り外した清掃口カバー（９）に設けた突起がこと故防止スイッチ（10）より外れ、シロッコファンモーター電源回路が遮断されて左右二つのシロッコファン（１）を安全に取り外すことが出来る、そしてダブルシロッコファンケーシング（２）内側が見渡せて清掃が容易に出来る。
【００１７】
ダブルシロッコファンケーシング（２）上に設けたダブルシロッコファンケーシングフード（５）上部又は排気ダクト（11）内に円垂形オイルグリッド（12）を設けたことにより排気ダクト（11）内の汚れが減少する。
【００１８】
フード（６）奥と奥壁面（13）とで一対のヒンジ（14）を設けてフード（６）・ダブルシロッコファンケーシング（２）・の間より空気が入るダブルシロッコファンケーシングフード（５）と円垂形オイルグリッド（12）が一体で開閉自在・脱着自在になることで円垂形オイルグリッド（12）が低い位置で楽に取り外すことが出来る、又排気ダクト（11）内側の汚れも落とし易いし、フード（６）上の捕手も容易になる。
【図面の簡単な説明】
【００１９】
【図１】ダブルシロッコファンケーシング（２）とダブルシロッコファンケーシングフード（５）円垂形オイルグリッド（12）の左側面を示す図
【図２】図１のＡ−Ａ´の断面を示す図
【図３】フード（６）上部中央（７）を半円筒形にフード（６）内側に下げた斜見を示す図
【図４】ダブルシロッコファンケーシング（２）を備えたフード（６）の手前下げた、レンジフード右側面を示す図
【発明を実施するための形態】
【００２０】
整流板（15）手前を下げてオイルネットをオイルネット支柱（16）より引き抜き、次に整流板（15）を取り外す、次に左右の清掃口カバー（９）を取り外すと清掃口カバー（９）にある突起がこと故防止スイッチより外れる、そしてダブルシロッコファンケーシング下
部（８）吸気口（３）の周囲の吸気口面（４）がないので左右のシロッコファン（１）を取り外す。
【００２１】
次にフード（６）奥と奥壁面（13）とで一対のヒンジ（14）により開閉自在でフード（６）周囲に固定されたフード（６）の固定を外しフード（６）手前を下げると、フード（６）上部中央（７）を下げた中にダブルシロッコファンケーシング（２）が入っているのでダブルシロッコファンケーシング（２）上でダブルシロッコファンケーシングフード（５）上の、又は排気ダクト（11）内側の円垂形オイルグリッド（12）を外す。
【００２２】
外した部品は清掃する、そして排気ダクト（11）内側を下からダブルシロッコファンケーシングフード（５）を上から清掃を済まし、円垂形オイルグリッド（12）を取り付ける、そしてフード（６）手前を上げてフード（６）を周囲に固定する。
【００２３】
次にダブルシロッコファンケーシング（２）内側が見渡すことが出来るのでダブルシロッコファンケーシング（２）内側とフード（６）内側の清掃を済ましてから左右二つのシロッコファン（１）を取り付ける。そして左右の清掃口カバー（９）を取り付け、次に整流板（15）奥を取り付けてからオイルネット支柱（16）にオイルネットを差し込み整流板（15）手前を上げるとレンジフードは使用可能状態になる。
【産業上の利用可能性】
【００２４】
形態がコンパクトになり輸送、倉庫、取り使いコストなどが下がる、又横に長い大形レンジにダブルシロッコファンレンジフードは有効に作用する、比較的背丈の低い女性や年配者でも低い位置で清掃作業が容易に出来る。
【符号の説明】
【００２５】
１、シロッコファン
２、ダブルシロッコファンケーシング
３、吸気口
４、吸気口面
５、ダブルシロッコファンケーシングフード
６、フード
７、中央
８、ダブルシロッコファンケーシング下部
９、清掃口カバー
10、こと故防止スイッチ
11、排気ダクト
12、オイルグリッド
13、奥壁面
14、ヒンジ
15、整流板
16、オイルネット支柱
【図１】
2012102965.tif 000003
【図２】
2012102965.tif 000004
【図３】
2012102965.tif 000005
【図４】
2012102965.tif 000006